(57)【要約】【課題】非使用時には蓋板を確実に閉じることができると共に、使用時には簡単に全開でき、しかも開閉し易く、使用し易くすることにある。【解決手段】ケーシング１の表面にスライド組み付けされ、スライド前進限で前端が窓孔６内の前端に係止すると共に後端が窓孔６内の後端に係止して窓孔６を閉じ、且つ窓孔６の後端との係止の解除によるスライド後退限で窓孔６を全開する蓋板７と、窓孔６に臨んでケーシング１内に収納されるタッチセンサー、液晶等の機能パネル１２と、機能パネル１２の下方に位置し、両側端で蓋板７の両前側端部と連結するスライダー１８と、スライダー１８をケーシング１の前端方向に付勢する弾材２３と、を有し、蓋板７をスライダー１８に対して上方への揺動変位自在に組み付けた構成である。【選択図】        図１
2004306962.tif 000002
【特許請求の範囲】
【請求項１】
ケーシング（１）の一部に開設された窓孔（６）に臨んでタッチセンサー、液晶等の機能パネル（１２）を収納する容器に於ける、前記窓孔（６）を覆う蓋板の開閉構造であって、
前記ケーシング（１）の表面にスライド組み付けされ、スライド前進限で前記窓孔（６）を閉じると共にスライド後退限で窓孔（６）を全開する蓋板（７）と、
前記窓孔（６）に臨んでケーシング（１）内に収納されるタッチセンサー、液晶等の機能パネル（１２）と、
当該機能パネル（１２）の下方に位置し、側端で前記蓋板（７）の前側端部と連結するスライダー（１８）と、
当該スライダー（１８）を前記ケーシング（１）の前端方向に付勢する弾材（２３）と、
を有することを特徴とする蓋板の開閉構造。
【請求項２】
ケーシング（１）の一部に開設された窓孔（６）に臨んでタッチセンサー、液晶等の機能パネル（１２）を収納する容器に於ける、前記窓孔（６）を覆う蓋板の開閉構造であって、
前記ケーシング（１）の表面にスライド組み付けされ、スライド前進限で前端が前記窓孔（６）内の前端に係止すると共に後端が前記窓孔（６）内の後端に係止して前記窓孔（６）を閉じ、且つ前記窓孔（６）の後端との係止の解除によるスライド後退限で窓孔（６）を全開する蓋板（７）と、
前記窓孔（６）に臨んでケーシング（１）内に収納されるタッチセンサー、液晶等の機能パネル（１２）と、
当該機能パネル（１２）の下方に位置し、両側端で前記蓋板（７）の両前側端部と連結するスライダー（１８）と、
当該スライダー（１８）を前記ケーシング（１）の前端方向に付勢する弾材（２３）と、
を有し、前記蓋板（７）をスライダー（１８）に対して上方への揺動変位自在に組み付けたことを特徴とする蓋板の開閉構造。
【請求項３】
弾材（２３）としてのコイルスプリングを、ケーシング（１）の内面の一部に突設した保持ピン（１６）に巻回装着し、該コイルスプリングの一端をスライダー（１８）下面の側端に突設した弾接ピン（２２）に弾接させると共に、他端をケーシング（１）の内側面に弾接させたことを特徴とする請求項１、２に記載の蓋板の開閉構造。
【発明の詳細な説明】
【０００１】
【発明の属する技術分野】
本発明は、小型容器の蓋板の開閉構造に関する。
【０００２】
【従来の技術】
昨今では、何れの場所にあっても、手元のパーソナルコンピューターを介してサーバーにアクセスすることができるシステムが各種開発されているが、情報の漏洩を防ぐため、或いは料金を支払っているといった特定の者等だけがこのアクセスをすることができるように、接続の規制をしている。
【０００３】
このアクセスしようとする使用者が特定の真性な者であるかどうかを確認するための具体的な手段として、この使用者の指紋を予め登録しておくシステムがある。アクセスに際して、使用者の指紋がこの登録されている指紋と一致するかどうかを検証するもので、指紋検知器が用いられる。
【０００４】
この指紋検知器は、手元のコンピューターに接続する小型容器内に動作回路と共にイメージセンサーパネルを収納した構成で、このパネルに指の腹を押し当てることにより指紋を読み取らせ、使用者が登録された真性な者であることを確認して、コンピューターからサーバーにアクセスするといった操作を可能にするのである。
【０００５】
この指紋確認システムは、所定のコンピューターであればどの機種でもどこからでもサーバーにアクセスできる利便性があり、小型のこの指紋検知器を携帯さえしていれば良い。
【０００６】
【発明が解決しようとする課題】
従って、携帯中の指紋検知器のセンサーパネル部分を保護するため、センサーを覆う蓋体が必須のものとなるが、この場合、開閉し易く、これを小型容器にできるだけコンパクトに組み付けることができ、検知器自体が使用し易いことが求められる。
【０００７】
また、この指紋検知器に限らず、或る種のイメージセンサーや液晶ディスプレーのパネルは動作回路や電源等と共に小型容器に収納されており、みだりに動作しないように、及び埃が付着したり傷付いたりしないように、上述と同様に非使用時にはこのパネルを蓋によって覆うようにしなければならない。
【０００８】
よって本発明は、従来の要求に応えるべく発明された蓋板の開閉構造であって、非使用時には蓋板を確実に閉じることができると共に、使用時には簡単に全開でき、しかも開閉し易く、使用し易くすることを目的とする。
【０００９】
【課題を解決するための手段】
上述した従来の課題を解決する請求項１に記載の本発明は、
ケーシングの一部に開設された窓孔に臨んでタッチセンサー、液晶等の機能パネルを収納する容器に於ける、窓孔を覆う蓋板の開閉構造であって、
ケーシングの表面にスライド組み付けされ、スライド前進限で窓孔を閉じると共にスライド後退限で窓孔を全開する蓋板と、
窓孔に臨んでケーシング内に収納されるタッチセンサー、液晶等の機能パネルと、
この機能パネルの下方に位置し、側端で蓋板の前側端部と連結するスライダーと、
このスライダーをケーシングの前端方向に付勢する弾材と、
を有することを特徴とする構成である。
【００１０】
また、請求項２に記載の本発明は、
ケーシングの一部に開設された窓孔に臨んでタッチセンサー、液晶等の機能パネルを収納する容器に於ける、窓孔を覆う蓋板の開閉構造であって、
ケーシングの表面にスライド組み付けされ、スライド前進限で前端が窓孔内の前端に係止すると共に後端が窓孔内の後端に係止して窓孔を閉じ、且つ窓孔の後端との係止の解除によるスライド後退限で窓孔を全開する蓋板と、
窓孔に臨んでケーシング内に収納されるタッチセンサー、液晶等の機能パネルと、
この機能パネルの下方に位置し、両側端で蓋板の両前側端部と連結するスライダーと、
このスライダーをケーシングの前端方向に付勢する弾材と、
を有し、前記した蓋板をスライダーに対して上方への揺動変位自在に組み付けたことを特徴とする構成である。
【００１１】
そしてこれ等の場合、弾材としてのコイルスプリングを、スライダーの側端部下面に突設した保持ピンに巻回装着し、このコイルスプリングの一端をスライダー下面の他側端に突設した弾接ピンに弾接させると共に、他端をケーシングの内面に弾接させたことを特徴とする。
【００１２】
【発明の実施の形態】
以下本発明の実施の形態を指紋検知器の小型容器として説明すると、薄箱形状のケーシング１は、動作回路等２を収納する下ケース３にアンダーカットを利用して上ケース４を着脱自在に嵌め込んだ構成で、上ケース４の中央部には前後方向に沿って浅溝５が設けられ、この浅溝５の中央部に略長方形形状の窓孔６が開設されている（図３参照）。
【００１３】
蓋板７は、上ケース４の浅溝５内に前後方向に沿ってのスライドが自在に組み付けられ、スライド前進限で窓孔６内に嵌まり込み、前端が窓孔６内の前端縁に係止すると共に後端が窓孔６内の後端縁に係止して窓孔６を閉じる。
【００１４】
この蓋板７は、上ケース４の上面の円滑面に対応して若干湾曲させたプレート形状で、前端部に垂下設された前端壁８の両側下端には、水平姿勢の翼片９が突設され、この翼片９の先端には垂直片１０が垂下設され、更にこの垂直片１０の後端部には係止片１１が延長垂下設される（図４参照）。即ち蓋板７は、水平姿勢の翼片９の上面が上ケース４の窓孔６に沿った下面に摺接する形態で上ケース４に組み付けられ、前後方向にスライド変位するものである。
【００１５】
次にタッチセンサー、液晶等の機能パネル１２は、上ケース４内に組み込み固定されるスライドフレーム１３の上面に設置固定され、窓孔６に臨んで上ケース４内に収納される。
【００１６】
スライドフレーム１３の下面には、前後方向に沿って凹部１４が形成され、また、両側部には、上下に貫通するスリット１５が前後方向に沿って夫々開設され、ほぼ中央部下面に於ける一方の側端には保持ピン１６が垂下突設され、更に中央部下面先端部にも係合ピン１７が垂下突設される（図５、６参照）。
【００１７】
スライドフレーム１３と一体となった機能パネル１２の下方に位置するスライダー１８は、スライドフレーム１３下面の凹部１４に、前後方向へのスライド自在に嵌め込まれるプレート形状で、両側端に夫々ブラケット１９が立設され且つこのブラケット１９の中央部が切り欠かれて上方が開放される切欠２０が形成されている（図７参照）。
【００１８】
また同じくこのスライダー１８にあって、前端には前記したスライドフレーム１３の係合ピン１７に対向して、前端が開口する一対の弾片２１が設けられ、この一対の弾片２１が前端の開口部分から侵入する係合ピン１７を挟持して、この係合ピン１７に係合できるようにし、更に前記したスライドフレーム１３の保持ピン１６とは反対側の側端には弾接ピン２２が突設されている。
【００１９】
次に、スライダー１８をケーシング１の前端方向に付勢する弾材２３は、図示実施例ではコイルスプリングであり、この弾材２３を、ケーシング１の内面の一部であるスライドフレーム１３の保持ピン１６に巻回装着し、一端をスライダー１８の弾接ピン２２に弾接させると共に、他端をケーシング１の内側面の一部であるであるスライドフレーム１３の側縁に弾接させた構成である（図６、７参照）。
【００２０】
さて、上述した構成にあって、蓋板７を、その翼片９が上ケース４の窓孔６に沿った下面に摺接する形態にして（図８参照）、且つ、上ケース４の浅溝５内に前後方向に沿ってのスライドが自在となるように組み付け、翼片９先端の垂直片１０を、上ケース４内に組み込み固定されるスライドフレーム１３の両側部に夫々開設されたスリット１５に上方から挿入する。
【００２１】
またスライダー１８は、スライドフレーム１３の下方から凹部１４に前後方向へのスライド自在に嵌め込まれるが、蓋板７の垂直片１０から延長垂下設された係止片１１が、上記したスライドフレーム１３のスリット１５から下方に突出し、更に、両側端に夫々立設されたブラケット１９の切欠２０に上方から遊嵌して前後方向に係止する。つまりここでは、スライドフレーム１３と一体となった機能パネル１２を蓋板７とスライダー１８とで上下から挟む形態になっている。
【００２２】
そこでコイルスプリングである弾材２３をスライドフレーム１３の保持ピン１６に巻回装着し、一端をスライダー１８の弾接ピン２２に弾接させると共に、他端をスライドフレーム１３の側縁に弾接させることにより、スライダー１８を前進付勢することができ、係止片１１とブラケット１９の切欠２０とによって前後方向に係止している蓋板７もまた、スライダー１８の前進により同時に前進付勢される。
【００２３】
この前進限では、スライドフレーム１３の係合ピン１７がスライダー１８の一対の弾片２１に挟持されて係合し、蓋板７の前進姿勢が維持され、またスライド前進限で窓孔６内に嵌まり込み、前端が窓孔６内の前端縁に係止すると共に後端が窓孔６内の後端縁に係止して窓孔６を閉じる。
【００２４】
即ちこの姿勢では、蓋板７は窓孔６内に嵌まり込んでいて、弾材２３の付勢及び係合ピン１７と一対の弾片２１との係合により、確実に窓孔６を閉じ、みだりに開いてしまうことはない（図９、１０参照）。
【００２５】
上記した状態から図１１で示すように蓋板７の前端部に指を当てて上方からＡ方向に押圧すると、蓋板７は、その翼片９が上ケース４の窓孔６に沿った下面に摺接しているものの、その係止片１１がスライドフレーム１３の切欠２０に上方から遊嵌係止しているだけであるので、係止片１１部分を軸Ｃとし、後端が上方（図示Ｂ方向）に変位する形態で揺動する。
【００２６】
この揺動変位によって蓋板７の後端と窓孔６内の後端縁との係止が解除されるので、そのまま指を後方Ｄ方向に押圧すると、先ず係合ピン１７と一対の弾片２１とによる係合が解かれ、更に弾材２３の弾力に逆らってＤ方向への押圧を継続することにより、図１２から図１３の如く窓孔６を開き、機能パネル１２を露出させることができる。
【００２７】
蓋板７が全開した図１３では、押圧した指の腹が露出した機能パネル１２面に押し当たることになるので、蓋板７の開き操作の完了に連続してそのまま指紋検知の操作をすることができることになる。
【００２８】
また、所定の操作が終了して指紋検知等の所期の目的が達成されたならば、指を離すことにより蓋板７は弾材２３の弾力によって前方にスライドし、図９の閉鎖状態に復帰するのである。
【００２９】
尚、上ケース４の後端部には発光ダイオードによるパイロットランプ２４が埋設されてある。また、上記実施例は、本発明の蓋板の開閉構造を指紋検知器に採用したものであるが、これに限定されるものではなく、小型の液晶表示装置等にも応用できる。
【００３０】
更には、図示実施例では弾材２３としてコイルスプリングを示したが、これに限定されるものではなく、例えばスライダー１８の後端と上ケース４の後端内面との間に弾撥スプリングを配する等しても良い。
【００３１】
【発明の効果】
以上説明したように、本発明の蓋板の開閉構造によれば、非使用時に開口部である窓孔を確実に閉鎖することができてしかもその姿勢を維持することが可能であり、それ故、内部機構を保護し、埃等の汚れの付着を防ぐことができる。
【００３２】
また、閉じた状態から指で押すワンタッチの簡単な操作で、蓋板の係止を解いて容易に全開姿勢にすることができ、開いた状態で指紋検出等の次の所期操作をすることができ、更には指の押圧操作を話すだけで簡単に閉じさせることができる。
【００３３】
よって、本発明は、或る種の小型容器野開閉を確実にすると共に小さな変位ストロークで最大限の開口が可能であり、コンパクトにまとめることができる等、多くの優れた作用効果を奏する。
【図面の簡単な説明】
【図１】本発明にかかる蓋板の開閉構造の一実施例を示すケーシングの切欠斜視図である。
【図２】ケーシングの全体斜視図である。
【図３】上ケースのみの斜視図である。
【図４】蓋板を示す、（ａ）は上方より、（ｂ）は下方よりの、夫々斜視図である。
【図５】蓋板とスライドフレームとスライダーとを組み付け、蓋板を閉じた状態を示す、（ａ）は上方より、（ｂ）は下方よりの、夫々斜視図である。
【図６】蓋板とスライドフレームとスライダーとを組み付け、蓋板を全開した状態を示す、（ａ）は上方より、（ｂ）は下方よりの、夫々斜視図である。
【図７】スライダーを示す、（ａ）は上方より、（ｂ）は下方よりの、夫々斜視図である。
【図８】ケーシングの幅方向に沿った断面図である。
【図９】上ケースに、蓋板とスライドフレームとスライダーとを組み付け、蓋板を閉じた状態を示す前後方向に沿った断面図である。
【図１０】図９の底面図である。
【図１１】蓋板の開き開始時の前後方向に沿った断面図である。
【図１２】蓋板の開き途中の前後方向に沿った断面図である。
【図１３】蓋板の全開状態の前後方向に沿った断面図である。
【符号の説明】
１；ケーシング、２；動作回路等、３；下ケース、４；上ケース、５；浅溝、６；窓孔、７；蓋板、８；前端壁、９；翼片、１０；垂直片、１１；係止片、１２；機能パネル、１３；スライドフレーム、１４；凹部、１５；スリット、１６；保持ピン、１７；係合ピン、１８；スライダー、１９；ブラケット、２０；切欠、２１；弾片、２２；弾接ピン、２３；弾材、２４；パイロットランプ。
【図１】
2004306962.tif 000003
【図２】
2004306962.tif 000004
【図３】
2004306962.tif 000005
【図４】
2004306962.tif 000006
【図５】
2004306962.tif 000007
【図６】
2004306962.tif 000008
【図７】
2004306962.tif 000009
【図８】
2004306962.tif 000010
【図９】
2004306962.tif 000011
【図１０】
2004306962.tif 000012
【図１１】
2004306962.tif 000013
【図１２】
2004306962.tif 000014
【図１３】
2004306962.tif 000015